(57)【要約】【課題】本発明の課題は、配線ケーブルと壁との隙間がなく、配線ケーブルの運用、保守および美観上優れたものになり、また、伸縮自在な配線ケーブルにより任意の内壁厚に対応可能となる配線用ローゼットを提供することにある。【解決手段】本発明は、一方の配線ケーブルを他方の配線ケーブルに接続する配線用ローゼットであって、前記一方の配線ケーブルが接続される接続部及び前記他方の配線ケーブルが接続される接続部にそれぞれ設けられた光を曲げて伝送する曲部用素子１９と、前記各曲部用素子１９間に接続される伸縮自在な配線ケーブル１８とを具備することを特徴とするものである。【選択図】      図１
2005164754.tif 000002
【特許請求の範囲】
【請求項１】
一方の配線ケーブルを他方の配線ケーブルに接続する配線用ローゼットであって、
前記一方の配線ケーブルが接続される接続部及び前記他方の配線ケーブルが接続される接続部にそれぞれ設けられた光を曲げて伝送する曲部用素子と、
前記各曲部用素子間に接続される伸縮自在な配線ケーブルと
を具備することを特徴とする配線用ローゼット。
【請求項２】
一方の配線ケーブルと他方の配線ケーブルがそれぞれ異なる部屋の配線に用いられ、前記異なる部屋間の壁を貫通する配管内に伸縮自在な配線ケーブルが設けられ、且つ前記一方の配線ケーブルが接続される接続部及び前記他方の配線ケーブルが接続される接続部が前記壁に密着させて設けられたことを特徴とする請求項１に記載の配線用ローゼット。
【請求項３】
一方の配線ケーブルが接続される接続部及び他方の配線ケーブルが接続される接続部として、ＳＣコネクタ、メカニカルスプライスなどの簡易接続手段を用いることを特徴とする請求項１又は２に記載の配線用ローゼット。
【請求項４】
一方の配線ケーブル及び他方の配線ケーブルと、伸縮自在な配線ケーブルとの接続部を固定すると共に、伸縮自在な配線ケーブルの余長を保護、収納する筐体を設けたことを特徴とする請求項１、２又は３に記載の配線用ローゼット。
【請求項５】
曲部用素子として、ハーフミラー、光導波路などの光学素子あるいはフェルールレス光ファイバなどの機械的強度が高い光ファイバを用いた曲部用素子を用いることを特徴とする請求項１、２、３又は４に記載の配線用ローゼット。
【請求項６】
伸縮自在な配線ケーブルとして、光ファイバを保護するチューブ内に、カットオフ長およびモードフィールド径値が小さい等の特定のファイバパラメータを有する光ファイバ、ハイデルタ型光ファイバあるいはホーリー光ファイバなどの許容曲げ半径の小さい光ファイバを挿入して構成した伸縮自在な配線ケーブルを用いることを特徴とする請求項１、２、３、４又は５に記載の配線用ローゼット。
【請求項７】
一方の配線ケーブル及び他方の配線ケーブルとして、ＳＭＦ（シングルモード光ファイバ）、ＭＭＦ（マルチモード光ファイバ）、ＰＯＦ（プラスチック光ファイバ）あるいはメタリックケーブルの１心あるいは複数用の配線ケーブルを用いることを特徴とする請求項１、２、３、４、５又は６に記載の配線用ローゼット。
【請求項８】
請求項１乃至７のいずれか１項に記載の配線用ローゼットを用いて、建物内の各部屋に配線ケーブルが配線されることを特徴とするケーブル配線方法。
【発明の詳細な説明】
【技術分野】
【０００１】
本発明は、戸建住宅、ビル構内などの建物内に布設された光ファイバなどの配線ケーブル同士を接続する配線用ローゼット及びケーブル配線方法に関するものである。
【背景技術】
【０００２】
従来の技術としては、光ファイバなどの配線ケーブル同士をメカニカルスプライス、融着などの接続手段により、配線ケーブル同士を物理的に直接接続し、接続部の固定ならびに配線ケーブルの余長を保護、収納する筐体を有するローゼットが知られている。このようなローゼットでは、単に、配線ケーブル同士を接続する場合には有用ではあるが、接続しようとする配線ケーブルが、互いに同一平面上に存在することが望ましく、また、通常、利用される建物内の配管径（直径Φ６〜２２ｍｍ）より形状が大きいため、当該ローゼットを設置する場所については、平らな壁面、床などに限定され、建物内の部屋間の配線用に供することは困難であった。
【０００３】
一般に、建物内の部屋間における内壁厚は、建物により任意であり、定形な当該ローゼットは利用に適さなかった。
【０００４】
図３は従来の建物内の部屋間の配線を示す断面図である。すなわち、部屋１と部屋２を仕切る内壁を貫通するようにして配管を設け、光ファイバなどの配線ケーブルは部屋１から配管内を通り部屋２に配線される。
【０００５】
しかしながら、図３に示す部屋間の配線例では、各々の光ファイバなどの配線ケーブルの曲率半径を確保する必要があり、配管出入口でそれぞれ配線ケーブルが３／４周湾曲するため、配線ケーブルと内壁との隙間が生じ、美観を損ね、外的環境による配線ケーブルへの損傷を受ける可能性が高く、運用および保守上問題があった。
【０００６】
従来の光ファイバ接続装置として特許文献１がある。
【特許文献１】特開２００３−３０２５５１号公報
【発明の開示】
【発明が解決しようとする課題】
【０００７】
本発明は上記の事情に鑑みてなされたもので、戸建住宅、ビル構内などの建物内に布設された光ファイバなどの配線ケーブル同士を接続する場合、配線ケーブルの接続部において、配線ケーブル同士を物理的に直接接続するのではなく、伸縮自在な配線ケーブル及び曲部用素子を介し、間接的に配線ケーブルを接続する配線用ローゼット及びケーブル配線方法を提供することを目的とする。
【課題を解決するための手段】
【０００８】
上記目的を達成するために本発明は、一方の配線ケーブルを他方の配線ケーブルに接続する配線用ローゼットであって、前記一方の配線ケーブルが接続される接続部及び前記他方の配線ケーブルが接続される接続部にそれぞれ設けられた光を曲げて伝送する曲部用素子と、前記各曲部用素子間に接続される伸縮自在な配線ケーブルとを具備することを特徴とするものである。
【０００９】
また本発明は、前記配線用ローゼットにおいて、一方の配線ケーブルと他方の配線ケーブルがそれぞれ異なる部屋の配線に用いられ、前記異なる部屋間の壁を貫通する配管内に伸縮自在な配線ケーブルが設けられ、且つ前記一方の配線ケーブルが接続される接続部及び前記他方の配線ケーブルが接続される接続部が前記壁に密着させて設けられたことを特徴とするものである。
【００１０】
また本発明は、前記配線用ローゼットにおいて、一方の配線ケーブルが接続される接続部及び他方の配線ケーブルが接続される接続部として、ＳＣ（Ｓｉｎｇｌｅ  ｆｉｂｅｒ  Ｃｏｕｐｌｉｎｇ）コネクタ、メカニカルスプライスなどの簡易接続手段を用いることを特徴とするものである。
【００１１】
また本発明は、前記配線用ローゼットにおいて、一方の配線ケーブル及び他方の配線ケーブルと、伸縮自在な配線ケーブルとの接続部を固定すると共に、伸縮自在な配線ケーブルの余長を保護、収納する筐体を設けたことを特徴とするものである。
【００１２】
また本発明は、前記配線用ローゼットにおいて、曲部用素子として、ハーフミラー、光導波路などの光学素子あるいはフェルールレス光ファイバなどの機械的強度が高い光ファイバを用いた曲部用素子を用いることを特徴とするものである。
【００１３】
また本発明は、前記配線用ローゼットにおいて、伸縮自在な配線ケーブルとして、光ファイバを保護するチューブ内に、カットオフ長およびモードフィールド径値が小さい等の特定のファイバパラメータを有する光ファイバ、ハイデルタ型光ファイバあるいはホーリー光ファイバなどの許容曲げ半径の小さい光ファイバを挿入して構成した伸縮自在な配線ケーブルを用いることを特徴とするものである。
【００１４】
また本発明は、前記配線用ローゼットにおいて、一方の配線ケーブル及び他方の配線ケーブルとして、ＳＭＦ（シングルモード光ファイバ）、ＭＭＦ（マルチモード光ファイバ）、ＰＯＦ（プラスチック光ファイバ）あるいはメタリックケーブルの１心あるいは複数用の配線ケーブルを用いることを特徴とするものである。
【００１５】
また本発明のケーブル配線方法は、前記配線用ローゼットを用いて、建物内の各部屋に配線ケーブルが配線されることを特徴とする。
【発明の効果】
【００１６】
本発明の配線用ローゼットは、戸建住宅、ビル構内などの建物内の部屋間の配線用として、配線ケーブルの接続部において、配線ケーブルと壁との隙間がなく、配線ケーブルの運用、保守および美観上優れたものになる。また、各々の配線ケーブルの接続部において、伸縮自在な配線ケーブルを介し、任意の内壁厚に対応可能となる。
【発明を実施するための最良の形態】
【００１７】
以下図面を参照して本発明の実施の形態例を詳細に説明する。
図１は本発明の一実施形態例を示す断面図である。この実施形態例は、戸建住宅、ビル構内などの建物内の部屋１１と部屋１２間の内壁１３が薄い場合である。すなわち、前記内壁１３の端部には配管１４が内壁１３を貫通して設けられ、前記配管１４内には第１の筐体１５が挿入される。前記配管１４の部屋１１側の開口部には第２の筐体１６が前記内壁１３の部屋１１側の面に密着して設けられる。前記配管１４の部屋１２側の開口部には第３の筐体１７が前記内壁１３の部屋１２側の面に密着して設けられる。第１の筐体１５内には伸縮自在な配線ケーブル１８が収納されると共に、前記第２の筐体１６及び第３の筐体１７のそれぞれ内部には光を曲げて伝送する曲部用素子１９が設けられる。前記伸縮自在な配線ケーブル１８の両端は前記第２の筐体１６及び第３の筐体１７のそれぞれ内部に設けられた曲部用素子１９に接続される。前記第２の筐体１６及び第３の筐体１７のそれぞれ内部に設けられた曲部用素子１９には現場組立型ＳＣコネクタ２０の光ファイバなどの配線ケーブル２１が接続される接続部が設けられる。
【００１８】
すなわち、前記第２の筐体１６及び第３の筐体１７のそれぞれ内部に設けられた曲部用素子１９に、部屋１１の配線ケーブル２１が接続された現場組立型ＳＣコネクタ２０及び部屋１２の配線ケーブル２１が接続された現場組立型ＳＣコネクタ２０をそれぞれ対応して接続することにより、部屋１１の配線ケーブル２１が、第２の筐体１６内の曲部用素子１９、伸縮自在な配線ケーブル１８、第３の筐体１７内の曲部用素子１９を介して部屋１２の配線ケーブル２１に接続されて配線される。
【００１９】
この実施形態例の場合、内壁１３が薄いので、伸縮自在な配線ケーブル１８は縮んだ状態で配線される。
【００２０】
尚、前記配線用ローゼットにおいて、部屋１１の配線ケーブル２１が接続される接続部及び部屋１２の配線ケーブル２１が接続される接続部として、ＳＣコネクタ、メカニカルスプライスなどの簡易接続手段を用いてもよい。メカニカルスプライスは、例えば鉄などの金属からなる円柱であり、その中心部を貫通するガイド孔が開けられ、このガイド孔の両端からそれぞれ挿入される光ファイバを対向させて保持することで、両者を光学的に接続するものである。このような接続手段を用いることにより、配線ケーブルの伝送特性（損失、反射減衰量など）に悪影響を与えないで接続することができる。
【００２１】
また前記配線用ローゼットにおいて、第２の筐体１６及び第３の筐体１７は、部屋１１の配線ケーブル２１及び部屋１２の配線ケーブル２１と、伸縮自在な配線ケーブル１８との接続部例えば曲部用素子１９等を固定する。また第１の筐体１５は伸縮自在な配線ケーブル１８の余長を保護、収納する。
【００２２】
また前記配線用ローゼットにおいて、曲部用素子１９として、ハーフミラー、光導波路などの光学素子あるいは従来のフェルールとクラッド径がほとんど同一であるフェルールレス光ファイバなどの機械的強度が高い光ファイバを用い、例えば９０°等の所定の角度に光を曲げて伝送する曲部用素子を構成してもよく、このような曲部用素子を用いることにより、内壁と配線ケーブルの隙間がなく設置することができると共に、直交した壁と配管内に存在する各々の配線ケーブルを接続可能とする。
【００２３】
また前記配線用ローゼットにおいて、伸縮自在な配線ケーブル１８として、光ファイバを保護するチューブ内に、通常よりカットオフ長およびモードフィールド径値が小さい等の特定のファイバパラメータを有する光ファイバ、市販品のハイデルタ型光ファイバあるいはホーリー光ファイバなどの許容曲げ半径の小さい光ファイバを挿入して構成した伸縮自在な配線ケーブルを用いてもよい。
【００２４】
また前記配線用ローゼットにおいて、部屋１１の配線ケーブル２１及び部屋１２の配線ケーブル２１として、ＳＭＦ（シングルモード光ファイバ）、ＭＭＦ（マルチモード光ファイバ）、ＰＯＦ（プラスチック光ファイバ）あるいはメタリックケーブルの１心あるいは複数用の配線ケーブルを用いてもよい。
【００２５】
図２は本発明の他の実施形態例を示す断面図である。この実施形態例は、戸建住宅、ビル構内などの建物内の部屋３１と部屋３２間の内壁３３が厚い場合である。図２中、図１と同一部分は同一符号を付してその説明を省略する。
【００２６】
すなわち、内壁３３が厚いので、伸縮自在な配線ケーブル１８は伸びた状態で配線される。配線用ローゼットは、建物により任意な内壁厚に対応可能となる。当然のことながら、第１の筐体１５は、伸縮自在な配線ケーブル１８が長さの変化に対応できることとする。ここでは、配線用ローゼットが部屋間（部屋３１ならびに３２側）を跨ぎ設置した形態（コの字型）となり、部屋３１の配線ケーブル２１と部屋３２の配線ケーブル２１が同方向であるが、逆方向でも可能である。
【００２７】
以上のように前記配線用ローゼットによれば、戸建住宅、ビル構内などの建物内の部屋間の配線時に、配線ケーブルと内壁との隙間がなく、外的環境による配線ケーブルへの損傷の可能性が低くなり、配線ケーブルの運用、保守性が向上し、配線ケーブルと内壁との隙間をなくすため、生じた複数の曲がりがなくなり、美観上優れたものになる。また、建物により異なる部屋間の内壁厚に対応できる。したがって、戸建住宅、ビル構内などの建物内に布設されたホームネットワーク用のケーブル配線方法として好適する。
【００２８】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００２９】
【図１】本発明の一実施形態例を示す断面図である。
【図２】本発明の他の実施形態例を示す断面図である。
【図３】従来の建物内の部屋間の配線を示す断面図である。
【符号の説明】
【００３０】
１３    内壁
１４    配管
１５    第１の筐体
１６    第２の筐体
１７    第３の筐体
１８    伸縮自在な配線ケーブル
１９    曲部用素子
２０    現場組立型ＳＣコネクタ
２１    部屋の配線ケーブル
【図１】
2005164754.tif 000003
【図２】
2005164754.tif 000004
【図３】
2005164754.tif 000005